(57)【要約】本発明は、制御部と、回転可能なコンタクトディスク（１０）と、複数のコンタクトエレメントとを備え、該コンタクトディスク（１０）は、複数のコンタクト路（１２，１４）を有しておりかつそれぞれのコンタクトエレメントに１つのコンタクト路（１２，１４）が配属されており、該コンタクト路は導電性の領域（Ａ１，Ｂ１，Ｂ２，Ｄ２，Ｅ１，Ｅ２，Ｆ１）および非導電性の領域（Ａ２，Ｃ１，Ｃ２，Ｄ１，Ｆ２）を有しておりかつ該導電性の領域（Ａ１，Ｂ１，Ｂ２，Ｄ２，Ｅ１，Ｅ２，Ｆ１）および非導電性の領域（Ａ２，Ｃ１，Ｃ２，Ｄ１，Ｆ２）によって論理状態がコード化されている形式のものにおいて、前記コンタクトディスク（１０）はｎ≧２を有するｎ個のコンタクト路（１２，１４）を有しておりかつ該ｎ個のコンタクト路（１２，１４）によっておよび導電性の領域（Ａ１，Ｂ１，Ｂ２，Ｄ２，Ｅ１，Ｅ２，Ｆ１）と非導電性の領域（Ａ２，Ｃ１，Ｃ２，Ｄ１，Ｆ２）とのシーケンスによって、Ｎ個の論理状態がコード化され、ここでＮ＞２ｎであるというコンタクトディスクシステムに関する。本発明は更に、ウィンドウガラスワイパーモータを制御するための方法および本発明のコンタクトディスクシステムを備えたウィンドウガラスワイパーモータに関する。
2004512222.tif 000002
【特許請求の範囲】
【請求項１】
制御部と、
回転可能なコンタクトディスク（１０）と、
複数のコンタクトエレメントと
を備え、
該コンタクトディスク（１０）は、複数のコンタクト路（１２，１４）を有しておりかつそれぞれのコンタクトエレメントに１つのコンタクト路（１２，１４）が配属されており、
該コンタクト路は導電性の領域（Ａ１，Ｂ１，Ｂ２，Ｄ２，Ｅ１，Ｅ２，Ｆ１）および非導電性の領域（Ａ２，Ｃ１，Ｃ２，Ｄ１，Ｆ２）を有しておりかつ
該導電性の領域（Ａ１，Ｂ１，Ｂ２，Ｄ２，Ｅ１，Ｅ２，Ｆ１）および非導電性の領域（Ａ２，Ｃ１，Ｃ２，Ｄ１，Ｆ２）によって論理状態がコード化されている
形式のものにおいて、
前記コンタクトディスク（１０）はｎ≧２を有するｎ個のコンタクト路（１２，１４）を有しておりかつ
該ｎ個のコンタクト路（１２，１４）によって並びに導電性の領域（Ａ１，Ｂ１，Ｂ２，Ｄ２，Ｅ１，Ｅ２，Ｆ１）および非導電性の領域（Ａ２，Ｃ１，Ｃ２，Ｄ１，Ｆ２）のシーケンスによって、Ｎ個の論理状態がコード化され、ここでＮ＞２ｎである
ことを特徴とするコンタクトディスクシステム。
【請求項２】
コンタクトディスク（１０）は２つのコンタクト路（１２，１４）を有している
請求項１記載のコンタクトディスクシステム。
【請求項３】
２つのコンタクト路（１２，１４）を備えたコンタクトディスク（１０）では６つの論理状態（Ａ，Ｂ，Ｃ，Ｄ，Ｅ，Ｆ）がコード化される請求項１または２記載のコンタクトディスクシステム。
【請求項４】
第１の状態（Ａ）は上側の反転位置に対応しており、
第２の状態（Ｂ）は払拭領域に対応しており、
第３の状態（Ｃ）は停止位置の前の状態であり、
第４の状態（Ｄ）は停止位置であり、
第５の状態（Ｅ）は停止位置の後ろの状態であり、かつ
第６の状態（Ｆ）は拡大された停止位置である
請求項１から３までのいずれか１項記載のコンタクトディスクシステム。
【請求項５】
第１の状態（Ａ）において第１のコンタクト路（Ａ１）は導電性でありかつ第２のコンタクト路（Ａ２）は非導電性であり、
第２の状態（Ｂ）において第１のコンタクト路（Ｂ１）および第２のコンタクト路（Ｂ２）は導電性であり、
第３の状態（Ｃ）において第１のコンタクト路（Ｃ１）および第２のコンタクト路（Ｃ２）は非導電性であり、
第４の状態（Ｄ）において第１のコンタクト路（Ｄ１）は非導電性でありかつ第２のコンタクト路（Ｄ２）は導電性であり、
第５の状態（Ｅ）において第１のコンタクト路（Ｃ１）および第２のコンタクト路（Ｃ２）は導電性であり、
第６の状態（Ｆ）において第１のコンタクト路（Ｆ１）は導電性でありかつ第２のコンタクト路（Ｆ２）は非導電性でありかつ
状態は番号付けの順序で連続している
請求項１から４までのいずれか１項記載のコンタクトディスクシステム。
【請求項６】
状態情報を取り出すために２つのコンタクトエレメントが設けられておりかつ
給電電圧を供給するために２つのコンタクトエレメントが設けられている
請求項１から５までのいずれか１項記載のコンタクトディスクシステム。
【請求項７】
上側の反転位置（Ａ）および下側の反転位置ＥＰＳ（Ｆ）はペンダルム伝動装置によって機械的に実現されており、
停止位置（Ｄ）および拡大された停止位置（Ｆ）は下側の反転位置に相応しておりかつ
停止位置（Ｄ）における下側の反転位置は制御部を介するモータの極性反転によって実現されている
請求項１から６までのいずれか１項記載のコンタクトディスクシステム。
【請求項８】
車両の点火のスイッチオン後ないしガラスウィンドウワイパー機能を払拭レバーが停止状態に位置しているように選択した後、次のようにしてコンタクトディスクシステムの初期化が行われる、すなわち停止位置（Ｄ）を離れかつコード化の変化に依存してガラスウィンドウワイパーモータの極性を推定することによってコンタクトディスクシステムを初期化する
請求項１から７までのいずれか１項記載のコンタクトディスクシステム。
【請求項９】
複数のコンタクトエレメントに回転可能なコンタクトディスク（１０）の複数のコンタクト路（１２，１４）が接触接続される、コンタクトディスクシステムを備えているウィンドウガラスワイパーモータの制御方法であって、
該コンタクト路は導電性の領域（Ａ１，Ｂ１，Ｂ２，Ｄ２，Ｅ１，Ｅ２，Ｆ１）および非導電性の領域（Ａ２，Ｃ１，Ｃ２，Ｄ１，Ｆ２）を有しておりかつ
該導電性の領域（Ａ１，Ｂ１，Ｂ２，Ｄ２，Ｅ１，Ｅ２，Ｆ１）および非導電性の領域（Ａ２，Ｃ１，Ｃ２，Ｄ１，Ｆ２）によって論理状態がコード化されている
という形式のコンタクトディスクシステムを備えたウィンドウガラスワイパーモータの制御方法において、
前記コンタクトディスク（１０）はｎ≧２を有するｎ個のコンタクト路（１２，１４）を有しておりかつ
該ｎ個のコンタクト路（１２，１４）によって並びに導電性の領域（Ａ１，Ｂ１，Ｂ２，Ｄ２，Ｅ１，Ｅ２，Ｆ１）および非導電性の領域（Ａ２，Ｃ１，Ｃ２，Ｄ１，Ｆ２）のシーケンスによって、Ｎ個の論理状態がコード化され、ここでＮ＞２ｎである
ことを特徴とする方法。
【請求項１０】
コンタクトディスク（１０）は２つのコンタクト路（１２，１４）を有している
請求項９記載の方法。
【請求項１１】
２つのコンタクト路（１２，１４）を備えたコンタクトディスク（１０）では６つの論理状態（Ａ，Ｂ，Ｃ，Ｄ，Ｅ，Ｆ）がコード化される
請求項９または１０記載の方法。
【請求項１２】
第１の状態（Ａ）は上側の反転位置に対応しており、
第２の状態（Ｂ）は払拭領域に対応しており、
第３の状態（Ｃ）は停止位置の前の状態であり、
第４の状態（Ｄ）は停止位置であり、
第５の状態（Ｅ）は停止位置の後ろの状態であり、かつ
第６の状態（Ｆ）は拡大された停止位置である
請求項９から１１までのいずれか１項記載のコンタクトディスクシステム。
【請求項１３】
第１の状態（Ａ）において第１のコンタクト路（Ａ１）は導電性でありかつ第２のコンタクト路（Ａ２）は非導電性であり、
第２の状態（Ｂ）において第１のコンタクト路（Ｂ１）および第２のコンタクト路（Ｂ２）は導電性であり、
第３の状態（Ｃ）において第１のコンタクト路（Ｃ１）および第２のコンタクト路（Ｃ２）は非導電性であり、
第４の状態（Ｄ）において第１のコンタクト路（Ｄ１）は非導電性でありかつ第２のコンタクト路（Ｄ２）は導電性であり、
第５の状態（Ｅ）において第１のコンタクト路（Ｃ１）および第２のコンタクト路（Ｃ２）は導電性であり、かつ
第６の状態（Ｆ）において第１のコンタクト路（Ｆ１）は導電性でありかつ第２のコンタクト路（Ｆ２）は非導電性である
請求項９から１２までのいずれか１項記載の方法。
【請求項１４】
状態情報を取り出すために２つのコンタクトエレメントが設けられておりかつ
給電電圧を供給するために２つのコンタクトエレメントが設けられている
請求項９から１３までのいずれか１項記載のコンタクトディスクシステム。
【請求項１５】
上側の反転位置（Ａ）はペンダルム伝動装置によって機械的に実現されており、
停止位置（Ｄ）および拡大された停止位置（Ｆ）は下側の反転位置に相応しておりかつ
下側の反転位置（Ｄ，Ｆ）は制御部を介するモータの極性反転によって実現されている
請求項９から１４までのいずれか１項記載の方法。
【請求項１６】
車両の点火のスイッチオン後ないしガラス払拭機能を払拭レバーが停止状態に位置しているように選択した後、次のようにしてコンタクトディスクシステムの初期化を行う、すなわち停止位置（Ｄ）を離れかつコード化の変化に依存してガラスウィンドウワイパーモータの極性を推定する
請求項９から１５までのいずれか１項記載の方法。
【請求項１７】
請求項１から８までのいずれか１項記載のコンタクトディスクシステムを備えたウィンドウガラスワイパーモータ。
【発明の詳細な説明】
【０００１】
本発明は、制御部と、回転可能なコンタクトディスクと、複数のコンタクトエレメントとを備え、該コンタクトディスクは、複数のコンタクト路を有しておりかつそれぞれのコンタクトエレメントに１つのコンタクト路が配属されており、該コンタクト路は導電性の領域および非導電性の領域を有しておりかつ該導電性の領域および非導電性の領域によって論理状態がコード化されている形式のものに関する。本発明は更に、複数のコンタクトエレメントに回転可能なコンタクトディスクの複数のコンタクト路が接触接続される、コンタクトディスクシステムを備えているウィンドウガラスワイパーモータの制御方法であって、コンタクトディスクは、複数のコンタクト路を有しておりかつそれぞれのコンタクトエレメントに１つのコンタクト路が配属されており、該コンタクト路は導電性の領域および非導電性の領域を有しておりかつ該導電性の領域および非導電性の領域によって論理状態がコード化されているという形式のコンタクトディスクシステムを備えたウィンドウガラスワイパーモータの制御方法に関する。本発明は更に、ウィンドウガラスワイパーモータに関する。
【０００２】
従来の技術
冒頭に述べた形式のコンタクトディスクシステムをウィンドウガラスワイパーを制御するためのを使用することは公知である。冒頭に述べた形式のコンタクトディスクシステムのコンタクトディスクは一般に、ウィンドウガラスワイパーモータと同期して回転される。コンタクトエレメントはコンタクトディスクシステムのコンタクトディスクの導電性の領域と非導電性（電気的に絶縁性）の領域を掃引走行する。このことからウィンドウガラスワイパーの瞬時の位置を推定するのである。基本的に、複雑な制御過程、すなわち比較的大きな数のウィンドウガラスワイパー位置がコード化されるべきである制御過程のために、比較的大きな数のコンタクト路がコンタクトディスクシステムのコンタクトディスク上に必要であり、これらコンタクト路のそれぞれが少なくとも１つのコンタクトエレメントによって接触接続されるということである。
【０００３】
高められた数のウィンドウガラスワイパー状態は例えば、トランク・リッド・パネルもリアウィンドウも開放される車両においてコード化されなければならない。リアワイパーモータは、リアウィンドウが開放されると、単数または複数の払拭レバーがガラスウィンドウの外の拡大されたパーキングポジション、すなわち停止位置（ｅｒｗｅｉｔｅｒｔｅ Ｐａｒｋｓｔｅｌｌｕｎｇ＝ＥＰＳ）に収められるように設計されていなければならない。この機能は例えば、伝動機構のない、リバース運転するリアウィンドウガラスワイパーモータによって実現される。このモータは上側および下側の反転位置において、二重リレーかまたは半導体Ｈブリッジによって電子的に極性が切り換えられる。払拭レバー位置が、一般に停止位置の下方にある拡大された停止位置に所望されると、モータは下側の反転位置においては極性が切り換えられない。同じく、リバース機構電子装置を備えた揺動運動変換伝動機構付きモータ（ペンダルム伝動モータ）を使用することもできる。このモータでは上側の反転位置および拡大された停止位置は伝動装置を介して機械的に実現される。下側の反転位置ないし停止位置は、二重リレーかまたは半導体Ｈブリッジによってモータを停止位置において電子的に極性反転することによって電子的に実現される。
【０００４】
この例として挙げたリアウィンドウガラスワイパー機能を実施するために、６つの異なった状態がコード化されなければならずかつ制御部内のリバース機構電子装置に伝達されなければならない。これらの状態には次の状態がある：
−　上側の反転位置
−　払拭領域
−　停止位置の前のセグメント
−　停止位置ないし下側の反転位置
−　停止位置ないし停止位置と拡大された停止位置との間のセグメント
−　拡大された停止位置。
【０００５】
数多くの場合、できるだけ僅かな数のコンタクト路を有しているコンタクトディスクを使用することが望ましい。このことは例えば、普通スライダとして実現されているコンタクトエレメントおよびコンタクト路が、ペンダルム伝動モータの変換伝動装置と同じ側に配置されている場合に生じる可能性がある。この場合、コンタクトディスク上には２つのコンタクト路に対してしかスペースがないことも多い。それ故に可能なコード化の数は制限されている。
【０００６】
発明の利点
本発明は、冒頭に述べた形式のコンタクトディスクシステムにおいて、コンタクトディスクがｎ≧２を有するｎ個のコンタクト路を有しておりかつ該ｎ個のコンタクト路によって並びに導電性の領域および非導電性の領域のシーケンスによって、Ｎ個の論理状態がコード化され、ここでＮ＞２ｎであるという構成を有している。本発明により、コンタクトディスク上のコンタクト路の数は制限されているにも拘わらず、用途に適した数のコード化を使用することができる。このことは、コンタクトディスクシステムの制御部によって、コンタクト路の導電性の領域および非導電性の領域によって生成されるその時に存在している論理状態が解析されるのみならず、付加的に、種々の状態間の移行が制御部によって取り入れられる（記録される）ことによって実現されるのである。
【０００７】
有利にはコンタクトディスクは２つのコンタクト路を有している。これによりこのコンタクトディスクは、スライダおよびコンタクト路が、ペンダルム伝動モータの変換伝動装置と同じ側に配置されているシステムに使用可能である。
【０００８】
２つのコンタクト路を備えたコンタクトディスクでは６つの論理状態がコード化されるようにすることで、本発明は特別有利に実現される。２つのコンタクト路を導電性および非導電性の領域に分割しかつ例えば導電性の領域を０によって識別しかつ非導電性の領域を１によって識別するようにすれば、これらビットの組み合わせによって２２＝４個の状態をコード化可能である。本発明によって、例えば６個の状態をコード化し、従って拡大された停止位置を有するリアウィンドウガラスワイパーに対する有利な制御を行うことができることになる。
【０００９】
本発明は、第１の状態が上側の反転位置に対応しており、第２の状態が払拭領域に対応しており、第３の状態が停止位置の前の状態であり、第４の状態が停止位置であり、第５の状態が停止位置の後ろの状態であり、かつ第６の状態が拡大された停止位置であるようにしたことで特別有用である。開放すべきリアウィンドウに使用可能であるリアワイパーモータにおいて要求される必要なウィンドウガラスワイパー機能を実現するのにこの６つの状態で十分である。
【００１０】
第１の状態において第１のコンタクト路は導電性でありかつ第２のコンタクト路は非導電性であり、第２の状態において第１のコンタクト路および第２のコンタクト路は導電性であり、第３の状態において第１のコンタクト路および第２のコンタクト路は非導電性であり、第４の状態において第１のコンタクト路は非導電性でありかつ第２のコンタクト路は導電性であり、第５の状態において第１のコンタクト路および第２のコンタクト路は導電性であり、第６の状態において第１のコンタクト路は導電性でありかつ第２のコンタクト路は非導電性でありかつ状態は番号付けの順序で連続しているようであれば特別有利である。第４の状態が例えばウィンドウガラスワイパーの停止位置であるのであれば、この状態においてコンタクトエレメントとは第１のコンタクト路の非導電性の領域および第２のコンタクト路の導電性の領域が接触接続している。従って制御部にはビット組み合わせ１／０が伝達される。それからウィンドウガラスワイパーが停止位置から出て払拭領域の方向に移動すると、制御部にはまず、第３の状態に相応するビット組み合わせ１／１が伝達されかつ引き続いてビット組み合わせ０／０が伝達される。これに対してウィンドウガラスワイパーが停止位置から拡大された停止位置の方向に更に移動すると、制御部にはすぐに、ビット組み合わせ１／０に続いてビット組み合わせ０／０が伝達される。それ故に制御部には状態間の移行によって、ウィンドウガラスワイパーの状態に関する必要な情報が伝送される。
【００１１】
状態情報を取り出すために２つのコンタクトエレメントが設けられておりかつ給電電圧を供給するために２つのコンタクトエレメントが設けられているようにすれば特別有利である。状態情報を２つのコンタクト路から取り出すために２つのコンタクトエレメントで十分である。給電電圧の供給のための２つのコンタクトエレメントは有用である。というのは、第１のコンタクト路も第２のコンタクト路も非導電性であり、これによりコンタクトディスクのセグメントが完全に相互に絶縁されているという状態があるからである。
【００１２】
有利には上側の反転位置はペンダルム伝動装置によって機械的に実現されており、停止位置および拡大された停止位置は下側の反転位置に相応しておりかつ停止位置にある下側の反転位置は制御部を介するモータの極性反転によって実現されている。これにより、本発明のコンタクトディスクシステムは有利にもリバース電子装置を備えたペンダルム式伝動モータと関連して使用される。
【００１３】
自動車の点火のスイッチオン後ないしウィンドウガラスワイパー機能の選択後払拭レバーが停止状態に位置している場合、次のようにしてコンタクトディスクシステムの初期化が行われる、すなわち停止位置を離れかつコード化の変化に依存してガラスウィンドウワイパーモータの極性が推定されるようにすれば特別有利である。自動車の点火の遮断されている状態において、ウィンドウガラスワイパーは普通、停止位置にあるはずである。それから点火が再びスイッチオンされると、制御部には一般にウィンドウガラスワイパーモータの極性がわかっていない。それ故に制御部はウィンドウガラスワイパーの運動方向も認識していない。このために、ウィンドウガラスワイパーはその時点で存在している、ウィンドウガラスワイパーモータの極性によって停止位置から抜け出る。それから隣接しているコード化に依存して制御部はモータの極性に関する情報を得、これによりその後の始動に関するすべての情報が存在することになる。初期化に続いて、ウィンドウガラスワイパーは再び停止位置に戻ることができる。初期化の際払拭レバーができるだけ小さな角度を掃引走行するように、停止位置に対するコンタクトディスクのセグメントはできるだけ小さく選択されるべきである。
【００１４】
本発明は、冒頭に述べた形式の方法に、コンタクトディスクがｎ≧２を有するｎ個のコンタクト路を有しておりかつ該ｎ個のコンタクト路によって並びに導電性の領域および非導電性の領域のシーケンスによって、Ｎ個の論理状態がコード化され、ここでＮ＞２ｎであることによって構成される。本発明によって、コンタクトディスク上のコンタクト路の数が制限されているにも拘わらず、用途に適った数のコード化を使用することができるようになる。このことは、コンタクトディスクシステムの制御部によって、コンタクト路の導電性の領域および非導電性の領域によって生成されるその時に存在している論理状態が解析されるのみならず、付加的に、種々の状態間の移行が制御部によって取り入れられる（記録される）ようにすることによって実現される。
【００１５】
この方法は、コンタクトディスクが２つのコンタクト路を有しているとき特別有利である。これによりこのコンタクトディスクは、スライダおよびコンタクト路が、ペンダルム伝動モータの変換伝動装置と同じ側に配置されているシステムに使用可能である。
【００１６】
有利には、２つのコンタクト路を備えたコンタクトディスクでは６つの論理状態がコード化される。２つのコンタクト路を導電性および非導電性の領域に分割しかつ例えば導電性の領域を０によって識別しかつ非導電性の領域を１によって識別するようにすれば、これらビットの組み合わせによって２２＝４個の状態をコード化可能である。本発明によって、例えば６個の状態をコード化し、従って拡大された停止位置を有するリアワイパーモータに対する有利な制御を行うことができることになる。
【００１７】
更に本発明の方法は、第１の状態が上側の反転位置に対応しており、第２の状態が払拭領域に対応しており、第３の状態が停止位置の前の状態であり、第４の状態が停止位置であり、第５の状態が停止位置の後ろの状態であり、かつ第６の状態が拡大された停止位置であるようにしたことで特別有利である。開放すべきリアウィンドウに使用可能であるリアワイパーモータにおいて要求とされる必要なウィンドウガラスワイパー機能を実現するにこれらの状態で十分である。
【００１８】
第１の状態において第１のコンタクト路は導電性でありかつ第２のコンタクト路は非導電性であり、第２の状態において第１のコンタクト路および第２のコンタクト路は導電性であり、第３の状態において第１のコンタクト路および第２のコンタクト路は非導電性であり、第４の状態において第１のコンタクト路は非導電性でありかつ第２のコンタクト路は導電性であり、第５の状態において第１のコンタクト路および第２のコンタクト路は導電性であり、第６の状態において第１のコンタクト路は導電性でありかつ第２のコンタクト路は非導電性でありかつ状態は番号付けの順序で連続しているようにすれば本発明は特別有用である。第４の状態が例えばウィンドウガラスワイパーの停止位置であるのであれば、この状態においてコンタクトエレメントとは第１のコンタクト路の非導電性の領域および第２のコンタクト路の導電性の領域が接触接続している。従って制御部にはビット組み合わせ１／０が伝達される。それからウィンドウガラスワイパーが停止位置から出て払拭領域の方向に移動すると、制御部にはまず、第３の状態に相応するビット組み合わせ１／１が伝達されかつ引き続いてビット組み合わせ０／０が伝達される。これに対してウィンドウガラスワイパーが停止位置から拡大された停止位置の方向に更に移動すると、制御部にはすぐに、ビット組み合わせ１／０に続いてビット組み合わせ０／０が伝達される。それ故に制御部には状態間の移行によって、ウィンドウガラスワイパーの状態に関する必要な情報が伝送される。
【００１９】
有利には、状態情報を取り出すために２つのコンタクトエレメントが設けられており、かつ給電電圧を供給するために２つのコンタクトエレメントが設けられている。状態情報を２つのコンタクト路から取り出すために２つのコンタクトエレメントで十分である。給電電圧の供給のための２つのコンタクトエレメントは有用である。というのは、第１のコンタクト路も第２のコンタクト路も非導電性であり、これによりコンタクトディスクのセグメントが完全に相互に絶縁されているという状態があるからである。
【００２０】
上側の反転位置はペンダルム伝動装置によって機械的に実現されており、停止位置および拡大された停止位置は下側の反転位置に相応しておりかつ停止位置における下側の反転位置は制御部を介するモータの極性反転によって実現されていることが有利である。電気的な極性反転は有利には停止位置ないし下側の転換位置において行われる。これにより、本発明のコンタクトディスクシステムは有利にはリバース電子装置を備えたペンダルム伝動モータと関連して使用される。
【００２１】
更に、車両の点火のスイッチオン後ないしウィンドウガラスワイパー機能を払拭レバーが停止状態に位置しているように選択した後、次のようにしてコンタクトディスクシステムの初期化が行われる、すなわち停止位置を離れかつコード化の変化に依存してガラスウィンドウワイパーモータの極性が推定されるようにすれば特別有利である。自動車の点火の遮断されている状態において、ウィンドウガラスワイパーは普通停止位置にあることになる。それから点火が再びスイッチオンされると、制御部には一般にウィンドウガラスワイパーモータの極性がわかっていない。それ故に制御部はウィンドウガラスワイパーの運動方向も認識していない。このために、ウィンドウガラスワイパーはその時点で存在している、ウィンドウガラスワイパーモータの極性によって停止位置から抜け出る。それから隣接しているコード化に依存して制御部はモータの極性に関する情報を得、これによりその後の始動に関するすべての情報が存在することになる。初期化に続いて、ウィンドウガラスワイパーは再び停止位置に戻ることができる。初期化の際払拭レバーが出きるだけ小さな角度を掃引走行するように、停止位置に対するコンタクトディスクのセグメントはできるだけ小さく選択されるべきである。
【００２２】
本発明は冒頭に述べた形式のウィンドウガラスワイパーシステムに、本発明のコンタクトディスクシステムが設けられていることによって構成されている。これにより、本発明のコンタクトディスクシステムおよび本発明の方法の利点がウィンドウガラスワイパーモータにて実現される。
【００２３】
本発明は、制限された数のコンタクト路、例えば２つのコンタクト路しか使用することができない状況においても、拡大されている停止位置を有するリアワイパーモータの制御そのものを可能にする十分な数の状態をコード化することができるという驚くべき認識に基づいている。本発明は、リバース電子装置を備えたペンダルム伝動モータにおいて使用可能である。更に、ウォッシャー水ポンプの作動を、それが上昇方向払拭の際にのみ通電されることによって調整することができる。その理由は、上昇方向払拭の場合、ビット組み合わせ０／０にはビット組み合わせ１／１が先行しており、一方下降方向払拭の場合０／０が０／１（上側の反転位置）に続く。
【００２４】
図面
次に本発明を添付図面に基づいて有利な実施例を参照しながら説明する。
【００２５】
その際：
図１には、コンタクトディスクシステムの複数のコード化された状態が略示されており、
図２には、本発明のコンタクトディスクが示されている。
【００２６】
実施例の説明
図１には、コンタクトディスクの種々の論理状態が略示されている。これら領域は次のように種々様々なワイパー位置に相応している：
【００２７】
【表１】
2004512222.tif 000003
【００２８】
図１に示されている斜線を施された面は導電性である。斜線を施された面に続いている白い面は電気的に絶縁されている。例えば、導電性の面はアースに接触接続されているので、この面に接触しているコンタクトエレメントは、論理０に相応するアース信号を有している。
【００２９】
図２には、本発明のコンタクトディスク１０の実施例が示されている。コンタクトディスク１０は２つの環状路、すなわちコンタクト路１２，１４を有している。これらのコンタクト路は導電性の領域と非導電性の領域とに分割されており、その際これら領域の記号は図１に示されている記号と同じである。
【００３０】
点火のスイッチオンの後払拭レバーが払拭領域Ｂにある場合、制御部はビット組み合わせ０／０を認める。制御部はここまででは、停止位置Ｅの後ろのセグメントと払拭領域Ｂとの間を区別することができない。引き続く経過においてワイパは払拭領域から例えば停止位置Ｃの前のセグメントに移行する。結果的に制御部はビット組み合わせ１／１を得る。これにより制御部にとって、最初ワイパーが払拭領域Ｂにあったことは一義的である。すなわちワイパーが停止位置Ｅの後のセグメントにあったのだとすれば、制御部は、それがビット組み合わせ１／１を得る前に、停止位置Ｄに相応するビット組み合わせ１／０を得ることになる。
【００３１】
同様に、コンタクトディスク１０のこのコード化に基づいて、点火のスイッチオン後初期化を行うことができる。点火のスイッチオン後払拭レバーが停止位置Ｄにあるならば、停止位置で制御部に伝送されるビット組み合わせ１／０からだけでは、払拭レバーがどの方向に移動しているのかは明らかにならない。というのは、モータの極性が分かっていないからである。それ故に点火のスイッチオン後モータは、停止位置セグメントＤを離れるまでの間通電される。隣接するセグメントの一義的なコード化、すなわち一方における停止位置Ｃの前のセグメント（１／１）および他方における停止位置Ｅの後ろのセグメント（０／０）によって、制御部はただちに、このときの極性で払拭レバーがどの方向に移動するかを確定する。この情報は記憶され、かつモータは再び極性反転されて、払拭レバーが停止位置Ｄに戻されるようにする。この初期化に対して、停止位置Ｄの領域をできるだけ小さく選択して、払拭レバーができるだけ小さな角度をカバーすればよいようにすると効果的である。同様に、初期化を点火のスイッチオン後またはウィンドウガラスワイパー機能の選択後かに選択的に行うこともできる。
【００３２】
上側の反転位置Ａはコード化０／１を有している。この情報がモータに伝送されると、モータの極性反転は行われない。それどころかコンタクトディスクの回転方向が維持される。というのは、払拭レバーは上側の反転位置Ａにおいてペンダルム伝動装置を介して機械的にリバース運動されるからである。上側の反転位置Ａを離れると、コンタクトディスクは引き続く経過においてビット組み合わせ０／０を送出しかつその後ビット組み合わせ１／１を送出し、これにより制御部には一義的に、上側の反転位置Ａから出発して停止位置Ｄに辿り着いていることが通報される。払拭レバーが点火のスイッチオン後停止位置の後ろのセグメントＥに位置しているのであれば、モータの通電後、停止位置Ｃの前のセグメントに対するビット組み合わせ１／１が発生することなく、停止位置Ｄに達することになる。この場合も方向は一義的に確定される。
【００３３】
本発明の実施例のこれまでの説明は、例を挙げて説明するためにのみ用いられるのであって、本発明を制限することを目的とするものではない。本発明の枠内において、本発明の範囲およびそれに対する等価から逸脱することなしに、種々の変化がおよび変形が可能である。
【図面の簡単な説明】
【図１】
コンタクトディスクシステムの複数のコード化された状態の略図である。
【図２】
本発明のコンタクトディスクの略図である。
【国際公開パンフレット】
2004512222.tif 000004
2004512222.tif 000005
2004512222.tif 000006
2004512222.tif 000007
2004512222.tif 000008
2004512222.tif 000009
2004512222.tif 000010
2004512222.tif 000011
2004512222.tif 000012
2004512222.tif 000013
2004512222.tif 000014
2004512222.tif 000015
2004512222.tif 000016
2004512222.tif 000017
2004512222.tif 000018
2004512222.tif 000019
2004512222.tif 000020
2004512222.tif 000021
2004512222.tif 000022
2004512222.tif 000023
2004512222.tif 000024
2004512222.tif 000025
2004512222.tif 000026
2004512222.tif 000027
2004512222.tif 000028
2004512222.tif 000029
2004512222.tif 000030
2004512222.tif 000031
【国際調査報告】
2004512222.tif 000032
2004512222.tif 000033
2004512222.tif 000034
2004512222.tif 000035
2004512222.tif 000036
2004512222.tif 000037